(57)【特許請求の範囲】
【請求項１】
電動送風機を収容した掃除機本体と、掃除機本体に接続され底面に吸込口と移動用の前車輪と後車輪を有した吸込具と、前記吸込口の前後部に設け上下にスライド移動する遮蔽板と、前記遮蔽板を収納しかつ前記遮蔽板の上下運動をガイドするガイド部と、前記後車輪の回転を抑制するクラッチ部と、前記クラッチ部を介して前記後車輪の回転を前記遮蔽板の上下運動へと伝達する伝達部とを備え、前記吸込口の前方のガイド部内に前記遮蔽板を突出付勢させる圧縮バネ或いは前記吸込口の後方のガイド部に前記遮蔽板をガイド部内に収納付勢させる引張バネの少なくともいずれか１つを設けることで、前記吸込具の前進時には、下方に荷重がかかり前記後車輪が回転し、前記伝達部を介して前記吸込口前方の遮蔽板は収納され、前記吸込口後方の遮蔽板は突出して清掃面に接触すると共に、前記吸込具の後進時には、前記圧縮バネ或いは前記引張バネの少なくともいずれか１つのバネ力で前記吸込口前方の遮蔽板は突出して清掃面に接触し、前記吸込口後方の遮蔽版は収納される構成とした電気掃除機。
【発明の詳細な説明】
【０００１】
【発明の属する技術分野】
本発明は、一般家庭等で使用される電気掃除機に関するものである。
【０００２】
【従来の技術】
図４は、従来の電気掃除機の構成を示す説明図である。１２は、電動送風機１４と集塵室１３を収容している掃除機本体である。掃除機本体１には、取手１１ａを有するホース１１と吸込具取付管１０を介して吸込具１を接続している。なお、５は絨毯面、畳面または床面等の清掃面を示しており、吸込具１の底面に設けている車輪３ａ、３ｂは前記清掃面５の表面に接している。
【０００３】
図５は前記吸込具１の構成と、吸込具１の動作を説明する断面図である。図５（ａ）は使用者の操作によって吸込具１が前進している状態を、図５（ｂ）は同じく後退している状態を表している。吸込具１は、底面に設けている吸込口２と、前記車輪３ａ、３ｂと、前記吸込口２と連通する接続管４を有している。接続管４は、前記吸込具取付管１０に嵌合しているものである。なお、吸込具１には、絨毯掃除用の回転ブラシを有して、回転ブラシの回転によって絨毯の毛足に入り込んだゴミを掻き出すようにしているものもある。
【０００４】
使用者が取手１１ａを使用して吸込具１を前進または後退させると、清掃面５上のあるいは清掃面５内の塵埃は吸込具１に設けている吸込口２から吸引されて、集塵室１３内に収容される。このとき、図５（ａ）に示しているように遮蔽板６が吸込口２の後方の空気通路を遮断しているため、電動送風機１４の吸塵力は吸込口２の前方に対して作用するものである。従って効率の高い集塵ができるようになっている。
【０００５】
【発明が解決しようとする課題】
前記従来の構成の電気掃除機は、集塵能力が十分に発揮できないという課題を有している。すなわち、図５（ｂ）に示しているように、吸込具１の進行方向が遮蔽板６側であった場合には、吸い込み空気が遮蔽板６によって遮蔽される構造となっており、従って電動送風機１４が本来有している吸塵力を十分に発揮することはできないものである。
【０００６】
【課題を解決するための手段】
本発明は、電動送風機を収容した掃除機本体と、掃除機本体に接続され底面に吸込口と移動用の前車輪と後車輪を有した吸込具と、前記吸込口の前後部に設け上下にスライド移動する遮蔽板と、前記遮蔽板を収納しかつ前記遮蔽板の上下運動をガイドするガイド部と、前記後車輪の回転を抑制するクラッチ部と、前記クラッチ部を介して前記後車輪の回転を前記遮蔽板の上下運動へと伝達する伝達部とを備え、前記吸込口の前方のガイド部内に前記遮蔽板を突出付勢させる圧縮バネ或いは前記吸込口の後方のガイド部に前記遮蔽板をガイド部内に収納付勢させる引張バネの少なくともいずれか１つを設けることで、前記吸込具の前進時には、下方に荷重がかかり前記後車輪が回転し、前記伝達部を介して前記吸込口前方の遮蔽板は収納され、前記吸込口後方の遮蔽板は突出して清掃面に接触すると共に、前記吸込具の後進時には、前記圧縮バネ或いは前記引張バネの少なくともいずれか１つのバネ力で前記吸込口前方の遮蔽板は突出して清掃面に接触し、前記吸込口後方の遮蔽版は収納される構成としたことにより、専用の外部移動力を必要とせず、吸込具の移動力を利用し前後進時共に遮蔽板の動作が確実で、常に進行方向前方の塵埃を集塵できるようにして、集塵効率の高い電気掃除機としているものである。
【０００７】
【発明の実施の形態】
請求項１に記載した発明は、電動送風機を収容した掃除機本体と、掃除機本体に接続され底面に吸込口と移動用の前車輪と後車輪を有した吸込具と、前記吸込口の前後部に設け上下にスライド移動する遮蔽板と、前記遮蔽板を収納しかつ前記遮蔽板の上下運動をガイドするガイド部と、前記後車輪の回転を抑制するクラッチ部と、前記クラッチ部を介して前記後車輪の回転を前記遮蔽板の上下運動へと伝達する伝達部とを備え、前記吸込口の前方のガイド部内に前記遮蔽板を突出付勢させる圧縮バネ或いは前記吸込口の後方のガイド部に前記遮蔽板をガイド部内に収納付勢させる引張バネの少なくともいずれか１つを設けることで、前記吸込具の前進時には、下方に荷重がかかり前記後車輪が回転し、前記伝達部を介して前記吸込口前方の遮蔽板は収納され、前記吸込口後方の遮蔽板は突出して清掃面に接触すると共に、前記吸込具の後進時には、前記圧縮バネ或いは前記引張バネの少なくともいずれか１つのバネ力で前記吸込口前方の遮蔽板は突出して清掃面に接触し、前記吸込口後方の遮蔽版は収納される構成としたことにより、吸込具の前進時に下方へ荷重が掛かりやすい後車輪にクラッチ部とこのクラッチ部を介して後車輪の回転を遮蔽板の上下運動へと伝達する伝達部を設け、吸込具の前進時には後車輪が確実に回転し、伝達部を介して吸込口前方の遮蔽板は収納され、吸込口後方の遮蔽板は突出して清掃面に接触することができ、また、吸込具の後進時の後車輪に押し付け力が掛かりにくく後車輪が確実に回転するとは限らない状態では、バネの力をもって付勢することで吸込口前方の遮蔽板は突出して清掃面に接触し、前記吸込口後方の遮蔽版は収納されるもので、専用の外部移動力を必要とせず、吸込具の移動力を利用し前後進時共に遮蔽板の動作が確実で、常に進行方向前方の塵埃を集塵できるようにして、集塵効率の高い電気掃除機としているものである。
【０００８】
【実施例】
（実施例１）
本発明の第１の実施例である電気掃除機について説明する。本実施例の電気掃除機の全体の構成は、従来例で説明した図４のものと共通である。図１は、本実施例で使用している吸込具の構成を示す断面図である。図１（ａ）は、使用者の操作によって吸込具１が左方向に進行している状態を、図１（ｂ）は、使用者の操作によって吸込具１が右方向に進行している状態を示している。なお、図１（ａ）、図１（ｂ）では、接続管４は欠載した円管を示しているもので特に断面を表示していないものである。
【０００９】
吸込具１は、底面には吸込口２と、移動用の車輪３ａ、３ｂとを有している。また吸込具１の後方には、吸込口２と連通する接続管４を有している。前記車輪３ａ、３ｂは、清掃面５と接している。吸込口２の前方と後方とには、ゴム等の可撓性の良い材料で構成した長板状の遮蔽板６ａ、６ｂを設けている。本実施例では、遮蔽板６ａ、６ｂとしてシリコンゴムとして摩擦抵抗の小さいものを使用している。遮蔽板６ａ、６ｂは、本実施例ではシリコンゴムを使用しているが、表面が滑らかな材料を使用した、または表面が滑らかになるように加工した材料を使用しても支障はないものである。また、遮蔽板６ａ、６ｂは、吸込口２の前後部に吸込具１を移動すると進行方向前方側が上方にスライド移動し、これと同時に進行方向後方側が下方へスライド移動する移動手段に固定されている。
【００１０】
前記移動手段は、本実施例では車輪３ｂと、車輪３ｂに連動して回転するクラッチローラ２５と、クラッチローラー２５の回転を受けて回転する伝達ローラー２６と、伝達ローラー２６に端面が固定され伝達ローラー２６の回転運動を直線運動に変換するスライドアーム２８と、スライドアーム２８の他端部に接触してスライドアーム２８の直線運動を回転運動に変換する伝達ローラー２７と、伝達ローラー２７を回動自在に支持しているレバー２４と、レバー２４の一端に接続している可動アーム２２ａと、レバー２４の他端に接続している可動アーム２２ｂとによって構成している。前記スライドアーム２８には、可動アーム２２ｂが接触、摺動する摺動面２８ａを設けている。摺動面２８ａは、本実施例ではフッ素樹脂をコーティングして形成しているが、可動アーム２２ｂの摺動が軽くできるものであれば特に支障はないものである。また、前記伝達ローラー２７の回転軸はレバー２４自身が回動する中心軸２７ａに一致させている。
【００１１】
可動アーム２２ａと可動アーム２２ｂには、前記遮蔽板６ａ、遮蔽板６ｂを接続している。また、遮蔽板６ａ、遮蔽板６ｂの昇降運動をガイドするガイド板２１ａ、ガイド板２１ｂをそれぞれ遮蔽板６ａ、遮蔽板６ｂの周囲に設けている。ガイド板２１ａ、ガイド板２１ｂとして本実施例ではプラスチック樹脂を使用しているが、特に材質的な制限はないものである。またガイド板２１ａ、ガイド板２１ｂは、本実施例ではコの字形を９０°回転させた形状として、この天面に可動アーム２２ａ、２２ｂが昇降する穴を開けた形状としている。また、この天面にシール部２３ａ、２３ｂを設けて、可動アーム２２ａ、可動アーム２２ｂとのクリアランスを小さくして、塵埃が内部に進入しないようにしている。
【００１２】
以下、本実施例の動作について説明する。使用者が図示していないスイッチを入れると、図示していない電動送風機が動作を開始して、吸込口２の圧力が低下して吸引が行われる。使用者が吸込具１を前進させると、清掃面面５に接触している車輪３ａ、３ｂが使用者が操作する方向に回転する。吸込口２の後方に設けている車輪３ｂの回転は、クラッチローラー２５に伝達される。つまり、クラッチローラー２５は使用者の操作方向に回転する。このクラッチローラー２５の回転は、クラッチローラー２５に接触している伝達ローラー２６に伝達される。このため伝達ローラー２６は、クラッチローラー２５の回転方向と反対方向に回転する。
【００１３】
すなわち、図１（ａ）に示しているように、使用者が吸込具１を左方向に進行させると、伝達ローラー２６は右方向に回転するものである。このため、伝達ローラー２６に接触しているスライドアーム２８は右方向に移動して、伝達ローラー２７は、レバー２４を右方向に回動させる。このため、レバー２４は前方が上昇し後方は下降する。このため、レバー２４の両端に回動自由に連結されている可動アーム２２ａは上昇し、可動アーム２２ｂは下降する。従って可動アーム２２ａに接続している遮蔽板６ａは上昇して吸込具１内に収容される。また可動アーム２２ｂに接続している遮蔽板６ｂは下降して、清掃面５と接触して吸込口２の後方からの空気の流通を遮断する。また、遮蔽板６ｂはこの結果清掃面５の塵埃が後方に逃げないようにブロックする機能も果たしている。このため、前記電動送風機が発生する吸込力は吸込口２の前方に対してだけ作用する。換言すれば、進行方向の前方のゴミを効率よく集塵するものである。
【００１４】
また図１（ｂ）に示しているように、使用者が吸込具１を右方向に進行させると、伝達ローラー２６は左方向に回転するものである。このため、伝達ローラー２６に接触しているスライドアーム２８は左方向に移動して、伝達ローラー２７は、レバー２４を左方向に回動させる。このため、レバー２４は前方が下降し後方は上昇する。このため、可動アーム２２ｂは上昇して可動アーム２２ｂに接続している遮蔽板６ｂは吸込具１内に収容される。また、可動アーム２２ａは下降して、可動アーム２２ａに接続している遮蔽板６ａは下降して、清掃面５と接触して吸込口２の後方からの空気の流通を遮断する。また、遮蔽板６ａはこの結果清掃面５の塵埃が前方に逃げないようにブロックする機能も果たしている。このため、前記電動送風機が発生する吸込力は吸込口２の後方に対してだけ作用する。換言すれば、進行方向の前方のゴミを効率よく集塵するものである。
【００１５】
以上のように本実施例によれば、電動送風機を収容した掃除機本体と、掃除機本体に接続した吸込具１とを有し、前記吸込具１は底面には吸込口２を、前記吸込口２の前後部に吸込具を移動すると進行方向前方側が上方にスライド移動し、これと同時に進行方向後方側が下方へスライド移動する遮蔽板６ａ、６ｂと、前記遮蔽板６ａ、６ｂを移動する移動手段とを備えた構成として、常に進行方向前方の塵埃を集塵できるようにして、集塵効率の高い電気掃除機を実現するものである。
【００１６】
このとき本実施例によれば、吸込具１は、遮蔽板６ａ、６ｂのスライド方向に沿わせたガイド板２１ａ、２１ｂを有する構成としているものである。このため、遮蔽板６ａ、６ｂが変形せず円滑に昇降でき、さらに清掃面５に接したときには支持材として機能するため、清掃面５に対する遮蔽力が増して、吸塵力の高い電気掃除機を実現するものである。
【００１７】
また本実施例によれば、遮蔽板６ａ、６ｂとして、シリコンゴムのような表面が滑らかな材料、または金属材料あるいはプラスチック樹脂材料の表面をフッ素樹脂加工して、表面が滑らかになるようにしているものである。このため遮蔽板６ａ、６ｂは、ガイド板２１ａ、ガイド板２１ｂ内のスライド移動が容易に行え、かつ清掃面に接しているときも清掃面との間の摩擦抵抗を低くすることができ、操作が容易で吸塵力の高い電気掃除機としている。
【００１８】
なお本実施例では、遮蔽板２１ａ、２１ｂを移動する移動手段としてクラッチローラー２５、伝達ローラー２６、２７を使用しているが、これらの代わりにギアを使用しても支障はないものである。また、前記移動手段として使用しているスライドアーム２８の代わりにベルトを使用しても支障はないものである。
【００１９】
また本実施例では、進行方向の前方側の遮蔽板２１ａまたは２１ｂと進行方向の後方側の遮蔽板２１ｂまたは２１ａの二つの遮蔽板を連結部を構成するレバー２４によってによって連結した構成としている。このため、進行方向の前方側の遮蔽板２１ａまたは２１ｂと進行方向の後方側の遮蔽板２１ｂまたは２１ａとが確実に連動してスライド移動でき、操作が容易で吸塵力の高い電気掃除機を実現するものである。
【００２０】
また本実施例では、移動手段は、吸込具１の底面に設けた車輪３ｂと、車輪３ｂの回転を抑制するクラッチ部を構成するクラッチローラー２５と、クラッチローラー２５を介して車輪３ｂの回転を遮蔽板６ａ、６ｂへと伝達する伝達部を構成するスライドアーム２８とによって構成して、吸込具１の移動力を利用して遮蔽板６ａまたは６ｂをスライド移動でき、専用の外部移動力を必要としない操作が容易で吸塵力の高い電気掃除機を実現するものである。
【００２１】
（実施例２）
続いて本発明の第２の実施例について説明する。図２は本実施例の構成を示す断面図で、図２（ａ）は使用者が吸込具１を左方向に移動させている場合を、図２（ｂ）は吸込具１を右方向に移動させている場合を示している。本実施例では、実施例１で説明している移動手段として、クラッチローラー２５の回転を受けて左右に移動するスライドバー３１を使用している。スライドバー３１は、平板の金属材料によって構成しているが、強度の確保が可能ならばプラスチック材料でも構わない。スライドバー３１の足部は、支持材３４によってクラッチローラー２５に固定されている。またスライドバー３１の側面には、斜め後方下がりに穴の空いたレール溝３２を設けている。前記レール溝３２には、可動アーム２２ｂから側方に突き出た棒状の突起３３を挿入しており、強度を増すために金属材料であっても構わない。前記突起３３には可動アーム２２ａ、可動アーム２２ｂを接続している。前記レール溝３２と棒状の突起３３と、可動アーム２２ａ、可動アーム２２ｂとは、進行方向の前方に設けた遮蔽板６ａと進行方向の後方に設けた遮蔽板６ｂとを昇降させるクランク部を構成している。
【００２２】
以上の構成で、使用者が吸込具１を移動させると、遮蔽板６ａまたは６ｂは吸込具１の移動に応じて昇降するものである。すなわち、使用者の操作によって、吸込具１の底部に設けている車輪３ａと車輪３ｂは使用者の操作方向に回転するものである。この車輪３ｂの回転は、クラッチローラー２５に伝達されている。図２（ａ）に示しているように、使用者が吸込具１を左方向に前進させているときは、クラッチローラー２５の回転によってスライドバー３１は左方向に移動する。このスライドバー３１の移動によって突起３３がレール溝３２を下方に移動する。このため、突起３３に接続していると可動アーム２２ｂは下降し、可動アーム２２ｂに接続している遮蔽板６ｂも降下して、実施例１で説明しているように進行方向に対して後方の空気通路を遮断する。同時に、前記可動アーム２２ｂの動きはレバー２４によって、レバー２４の他端に接続している可動アーム２２ａに伝達される。すなわち、可動アーム２２ａは上昇する。従って可動アーム２２ａに接続している遮蔽板６ａは上昇してガイド板２１ａ内に収容される。この結果、吸込口２の進行方向に対して後方の空気通路は遮蔽板６ｂによって遮蔽され、吸込口２の進行方向の空気通路は開放されるものである。
【００２３】
従って、この状態では、電動送風機の吸塵力は進行方向の前方に対して作用するものであり、効率的な集塵ができるものである。
【００２４】
また、図２（ｂ）に示しているように、使用者が吸込具１を右方向に前進させているときは、クラッチローラー２５の回転によってスライドバー３１は右方向に移動する。このスライドバー３１の移動によって突起３３がレール溝３２を上方に移動する。このため、突起３３に接続していると可動アーム２２ｂは上昇し、可動アーム２２ｂに接続している遮蔽板６ｂも上昇して、ガイド板２１ａ内に収容される。同時に、前記可動アーム２２ａの動きはレバー２４によって、レバー２４の他端に接続している可動アーム２２ａに伝達される。すなわち、可動アーム２２ａは下降する。従って可動アーム２２ａに接続している遮蔽板６ａは下降して清掃面５に接触する。この結果、吸込口２の進行方向に対して後方の空気通路は遮蔽板６ａによって遮蔽され、吸込口２の進行方向の空気通路は開放されるものである。
【００２５】
従って、この状態では、電動送風機の吸塵力は進行方向の前方に対して作用するものであり、効率的な集塵ができるものである。
【００２６】
以上のように本実施例によれば、移動手段は、吸込口２の前方に設けた遮蔽板６ａと吸込口２の後方に設けた遮蔽板６ｂの二つの遮蔽板を昇降させるクランク部を有する構成としているものであり、このため、小さな空間で車輪３ｂと連動して動作でき、吸込具１を小型に構成できる電気掃除機を実現するものである。
【００２７】
（実施例３）
続いて本発明の第３の実施例について説明する。図３は本実施例の構成を示す断面図で、図３（ａ）は使用者が吸込具１を左方向に移動させている場合を、図３（ｂ）は吸込具１を右方向に移動させている場合を示している。本実施例では、ガイド板に遮蔽板を突出させるまたは内部に収容するように付勢するバネを設けているものである。すなわち、吸込口２の前方のガイド板２１ａには張力の弱い圧縮コイルバネ４１を挿入して遮蔽板６ａを付勢し、吸込口２の後方のガイド板２１ｂには張力の弱い引張コイルバネ４２を設けて遮蔽板６ｂを付勢している。
【００２８】
以下本実施例の動作について説明する。図３（ａ）に示しているように、使用者が吸込具１を左方向に前進させているときは、下方に荷重が掛かって車輪３ｂが確実に回転する。このため、伝達ローラー２６がこの回転によって移動して、スライドアーム２８が移動して、この移動によって伝達ローラー２７が移動してレバー２４が遮蔽板６ｂを下降させ、遮蔽板６ａを上昇させる。このとき本実施例では、ガイド板２１ａには張力の弱い圧縮コイルバネ４１を挿入して遮蔽板６ａを付勢し、吸込口２の後方のガイド板２１ｂには張力の弱い引張コイルバネ４２を設けて遮蔽板６ｂを付勢しているが、吸込具１の下方に荷重が掛かっていて、さらにバネの張力が弱いため、込口２の前方の遮蔽板６ａはガイド板２１ａ内に収容され、吸込口２の後方の遮蔽板６ｂはガイド板２１ｂから突出して清掃面５に接触するものである。
【００２９】
また、図３（ｂ）に示しているように、使用者が吸込具１を右方向に前進させているときは、下方に荷重が掛かりにくく車輪３ｂが確実に回転するとは限らない状態で、伝達ローラー２６がこの回転によって移動して、スライドアーム２８が移動して、この移動によって伝達ローラー２７が移動してレバー２４が遮蔽板６ｂを上昇させ、遮蔽板６ａを下降させる。このとき本実施例では、ガイド板２１ａには張力の弱い圧縮コイルバネ４１を挿入して遮蔽板６ａを付勢し、吸込口２の後方のガイド板２１ｂには張力の弱い引張コイルバネ４２を設けて遮蔽板６ｂを付勢しているものである。このため、バネの張力で吸込口２の前方の遮蔽板６ａは確実にガイド板２１ａから突出して清掃面５に接触し、吸込口２の後方の遮蔽板６ｂは確実にガイド板２１ｂ内に収容されるものである。
【００３０】
なお圧縮コイルバネ４１と引張コイルバネ４２は、どちらか一方だけでも構わない。
【００３１】
【発明の効果】
請求項１に記載した発明は、電動送風機を収容した掃除機本体と、掃除機本体に接続され底面に吸込口と移動用の前車輪と後車輪を有した吸込具と、前記吸込口の前後部に設け上下にスライド移動する遮蔽板と、前記遮蔽板を収納しかつ前記遮蔽板の上下運動をガイドするガイド部と、前記後車輪の回転を抑制するクラッチ部と、前記クラッチ部を介して前記後車輪の回転を前記遮蔽板の上下運動へと伝達する伝達部とを備え、前記吸込口の前方のガイド部内に前記遮蔽板を突出付勢させる圧縮バネ或いは前記吸込口の後方のガイド部に前記遮蔽板をガイド部内に収納付勢させる引張バネの少なくともいずれか１つを設けることで、前記吸込具の前進時には、下方に荷重がかかり前記後車輪が回転し、前記伝達部を介して前記吸込口前方の遮蔽板は収納され、前記吸込口後方の遮蔽板は突出して清掃面に接触すると共に、前記吸込具の後進時には、前記圧縮バネ或いは前記引張バネの少なくともいずれか１つのバネ力で前記吸込口前方の遮蔽板は突出して清掃面に接触し、前記吸込口後方の遮蔽版は収納される構成としたことにより、吸込具の前進時に下方へ荷重が掛かりやすい後車輪にクラッチ部とこのクラッチ部を介して後車輪の回転を遮蔽板の上下運動へと伝達する伝達部を設け、吸込具の前進時には後車輪が確実に回転し、伝達部を介して吸込口前方の遮蔽板は収納され、吸込口後方の遮蔽板は突出して清掃面に接触することができ、また、吸込具の後進時の後車輪に押し付け力が掛かりにくく後車輪が確実に回転するとは限らない状態では、バネの力をもって付勢することで吸込口前方の遮蔽板は突出して清掃面に接触し、前記吸込口後方の遮蔽版は収納されるもので、専用の外部移動力を必要とせず、吸込具の移動力を利用し前後進時共に遮蔽板の動作が確実で、常に進行方向前方の塵埃を集塵できるようにして、集塵効率の高い電気掃除機を実現するものである。
【図面の簡単な説明】
【図１】  本発明の第１の実施例による電気掃除機の吸込具の側面断面図
（ａ）  吸込具の進行方向が左向きである場合の側面断面図
（ｂ）  吸込具の進行方向が右向きである場合の側面断面図
【図２】  本発明の第２の実施例である電気掃除機の吸込具の側面断面図
（ａ）  吸込具の進行方向が左向きである場合の側面断面図
（ｂ）  吸込具の進行方向が右向きである場合の側面断面図
【図３】  本発明の第３の実施例である電気掃除機の吸込具の側面断面図
（ａ）  吸込具の進行方向が左向きである場合の側面断面図
（ｂ）  吸込具の進行方向が右向きである場合の側面断面図
【図４】  従来の電気掃除機の構成を示す説明図
【図５】  同従来の電気掃除機の吸込具の側面断面図
（ａ）  吸込具の進行方向が左向きである場合の側面断面図
（ｂ）  吸込具の進行方向が右向きである場合の側面断面図
【符号の説明】
１  吸込具
２  吸込口
３ａ，３ｂ  車輪
４  接続管
６ａ，６ｂ  遮蔽板
２１ａ，２１ｂ  ガイド板
２２ａ、２２ｂ  可動アーム
２３ａ，２３ｂ  シール部
２４  レバー
２５  クラッチローラー
２６，２７  伝達ローラー
２７ａ  中心軸
２８  スライドアーム
２８ａ  摺動面
３１  スライドバー
３２  レール溝
３３  突起
３４  支持材
４１  圧縮コイルバネ
４２  引張コイルバネ
【図１】
0003849376.tif 000002
【図２】
0003849376.tif 000003
【図３】
0003849376.tif 000004
【図４】
0003849376.tif 000005
【図５】
0003849376.tif 000006